(57)【要約】【課題】回路遮断時に電極間で発生するアークを、永久磁石からの磁界によって電極の円周方向に駆動して遮断するようにした開閉器においては、永久磁石の形状によって形成される磁界分布で磁界強度が決定され、必ずしも遮断性能は充分とは言えなかった。【解決手段】絶縁性ガス中に配設された可動電極１ａと固定電極２ａとを有し、可動電極１ａと接触する箇所の固定電極２ａ外周に、固定電極と同軸となるよう配設されたリング状の永久磁石４ａを設けた開閉器において、リング状の永久磁石４ａよりも大きな内径と小さな外径を有し、固定電極２ａと同軸上で、リング状永久磁石４ａの可動電極１ａと面する平面上にリング状の磁性体１１を配設し、アークの回転に寄与する磁界を強めてアークに発生する電磁力を向上させ、開閉器の消弧性能が向上させる。【選択図】図１
2010251056.tif 000002
【特許請求の範囲】
【請求項１】
絶縁性ガス中に配設された円柱状または円筒状の可動電極と、この可動電極の軸方向に沿って配設され、前記可動電極と接触する箇所を有した固定電極と、前記可動電極と接触する箇所の前記固定電極外周に、前記固定電極と同軸となるよう配設されたリング状の永久磁石とを有する開閉器において、
前記リング状の永久磁石よりも大きな内径と小さな外径を有し、前記固定電極と同軸上で、前記リング状永久磁石の前記可動電極と面する平面上にリング状の磁性体を配設したことを特徴とする開閉器。
【請求項２】
絶縁性ガス中に配設された円柱状の可動電極と、この可動電極の軸方向に沿って配設され、前記可動電極と接触する箇所を有した固定電極と、この固定電極と面する前記可動電極の先端近傍の電極内部に配設された円柱状の永久磁石とを有する開閉器において、
前記円柱状の永久磁石よりも小さな直径を有し、前記円柱状の永久磁石と同軸上で、前記円柱状の永久磁石の前記固定電極と面する平面上に円柱状の磁性体を配設したことを特徴とする開閉器。
【請求項３】
絶縁性ガス中に配設された円柱状または円筒状の可動電極と、この可動電極の軸方向に沿って配設され、前記可動電極と接触する箇所を有した固定電極と、前記可動電極と接触する箇所の前記固定電極内周に、前記固定電極と同軸となるよう配設された円柱状の永久磁石とを有する開閉器において、
前記円柱状の永久磁石よりも小さな直径を有し、前記円柱状の永久磁石と同軸上で、前記円柱状の永久磁石の前記可動電極と面する平面上に円柱状の磁性体を配設したことを特徴とする開閉器。
【請求項４】
前記固定電極は前記可動電極と接触する箇所を有した導電性の板を円筒状に組み合わせて構成した請求項１乃至請求項３のいずれか１項に記載の開閉器。
【請求項５】
前記可動電極の前記固定電極と接触する箇所の外周に通電された導電性コイルを設けた請求項１または請求項３に記載の開閉器。
【請求項６】
前記可動電極の内周にアークホーンを設けた請求項１乃至請求項３のいずれか１項に記載の開閉器。
【請求項７】
前記リング状の磁性体または円柱状の磁性体の高さは２〜５ｍｍとした請求項１乃至請求項６のいずれか１項に記載の開閉器。
【発明の詳細な説明】
【技術分野】
【０００１】
この発明は、電力系統の電路を開閉する、例えば断路器や遮断器などの開閉器に関するもので、特に開閉器の電極構造の改良に関するものである。
【背景技術】
【０００２】
例えばＳＦ６ガスや乾燥空気といった、絶縁性ガス中において電流を遮断する断路器もしくは遮断器において、電流遮断時に電極間で発生するアークを遮断する手法として、永久磁石から発生される磁界によってアークを回転駆動させて遮断させる方法がある。これは、固定電極もしくは可動電極のアーク発生部近傍に永久磁石を配設し、アークに流れる電流と永久磁石の磁界によって発生する電磁力がアーク自身に作用し、アークが駆動する方式である。
【０００３】
このようなアーク遮断方式において、固定電極および可動電極が円柱もしくは円筒状の形状である場合、電極はほぼ同軸上に配設され、可動電極はその軸に沿って固定電極から離れる。この時、電流遮断時に電極間に発生したアークは、永久磁石によってアークと直行する略半径方向の磁界を受けて、電極の円周方向に駆動する。
永久磁石の形態としては、大きく２種類あり、電極の中心付近に円柱状の永久磁石が配設される場合と、電極の周囲にリング状の永久磁石が配設される場合がある。
前者の例としては、中空部を有する円柱状の固定電極の中空部内部に円柱状の永久磁石を配設するようにしたものがある（例えば特許文献１）。また、後者の例としては、円筒状の固定電極の外周部にリング状の永久磁石を配設するようにしたものがある（例えば特許文献２）。
更に、永久磁石が設けられる電極の近傍に永久磁石の磁路を形成する磁性体を設けて、アークに作用する半径方向の磁界を強め、アーク遮断性能を向上させた開閉器（例えば特許文献２）もある。
【先行技術文献】
【特許文献】
【０００４】
【特許文献１】特開２００８−２１８００１号公報（図１〜図６）
【特許文献２】特開平５−２９８９６７号公報（図２、図３、図４）
【発明の概要】
【発明が解決しようとする課題】
【０００５】
永久磁石を用いたアーク回転は、アークに対して直行する磁界、すなわち半径方向の磁界と、アーク中に流れる電流の電磁力によって発生する。従来の構造においては、永久磁石の形状によって形成される磁界分布およびアーク周辺の半径方向の磁界強度が決定される。即ち、従来のものは永久磁石が形成する磁界分布だけでアークの電磁力を発生させていた為、アークに発生する電磁力は弱く、遮断性能は必ずしも良いとは言い切れなかった。
そこで特許文献２のように、電極の近傍に永久磁石の磁路を変歪させる磁性体を設けて、アークに作用する半径方向の磁界を強め遮断性能を向上させるようにもしている。しかし、磁性体は固定電極の外周または内周面で、且つ永久磁石の可動電極と面する側とは反対の面に配置したもので、アークに作用する半径方向の磁界を強めるには充分でなかった。
【０００６】
また、永久磁石が固定電極もしくは可動電極の内部に配設され、アーク発生点が磁石近傍である場合、アーク発生点付近でアークに流れる電流と直行する磁界が得られず、アークが回転する間、発生点からアークが動かないことがある。このとき、アーク発生点近傍の電極温度が上昇するため、金属蒸気が発生しやすくなり、結果的に消弧性能を悪化させる原因となる。
【０００７】
この発明は、このような課題を解決するもので、永久磁石近傍に配置される磁性体の形状および配置を工夫することで、固定電極と可動電極の間に発生するアークの回転駆動に寄与する磁界を強めるよう分布を制御した開閉器を提供することを目的とするものである。
【課題を解決するための手段】
【０００８】
この発明に係る開閉器は、絶縁性ガス中に配設された円柱状または円筒状の可動電極と、この可動電極の軸方向に沿って配設され、可動電極と接触する箇所を有した固定電極と、可動電極と接触する箇所の固定電極外周に、固定電極と同軸となるよう配設されたリング状の永久磁石とを有する開閉器において、リング状の永久磁石よりも大きな内径と小さな外径を有し、固定電極と同軸上で、リング状永久磁石の可動電極と面する平面上にリング状の磁性体を配設したものである。
【０００９】
また、この発明に係る開閉器は、絶縁性ガス中に配設された円柱状の可動電極と、この可動電極の軸方向に沿って配設され、可動電極と接触する箇所を有した固定電極と、この固定電極と面する可動電極の先端近傍の電極内部に配設された円柱状の永久磁石とを有する開閉器において、円柱状の永久磁石よりも小さな直径を有し、円柱状の永久磁石と同軸上で、円柱状の永久磁石の固定電極と面する平面上に円柱状の磁性体を配設したものである。
【００１０】
また、この発明に係る開閉器は、絶縁性ガス中に配設された円柱状または円筒状の可動電極と、この可動電極の軸方向に沿って配設され、可動電極と接触する箇所を有した固定電極と、可動電極と接触する箇所の固定電極内周に、固定電極と同軸となるよう配設された円柱状の永久磁石とを有する開閉器において、円柱状の永久磁石よりも小さな直径を有し、円柱状の永久磁石と同軸上で、円柱状の永久磁石の可動電極と面する平面上に円柱状の磁性体を配設したものである。
【発明の効果】
【００１１】
この発明は、永久磁石の径よりも小さい径の磁性体を、対向する電極に面する永久磁石の平面上に配置することで、アークの回転に寄与する磁界を強めるよう制御出来るため、アークに作用する電磁力を向上させ、制御しない場合より多く駆動させることが出来る。このため、電極の温度上昇を抑制し、金属蒸気の発生を防ぐことが出来、結果的に開閉器の消弧性能が向上できる。
【図面の簡単な説明】
【００１２】
【図１】この発明の実施の形態１による開閉器の断面図を示す。
【図２】この発明の実施の形態２による開閉器の断面図を示す。
【図３】この発明の実施の形態３による開閉器の断面図を示す。
【図４】この発明の実施の形態４による開閉器の断面図を示す。
【図５】この発明の実施の形態５による開閉器の断面図を示す。
【図６】この発明の実施の形態６による開閉器の断面図を示す。
【図７】この発明の実施の形態７による開閉器の断面図を示す。
【図８】この発明の実施の形態８による開閉器の断面図を示す。
【発明を実施するための形態】
【００１３】
実施の形態１．
以下、この発明の実施の形態１に係る開閉器を図１に基づいて説明する。図１はこの発明の実施の形態１による開閉器の電極部を示す断面図である。  図１に示す開閉器は、図示しない開閉駆動部の駆動によって軸方向に可動される円柱状の可動電極１ａと、この可動電極１ａと同軸上に軸方向に沿って配設され、可動電極１ａと接触する箇所を有した円筒状の固定電極２ａとを有し、これら可動電極１ａと固定電極２ａは乾燥空気、ＳＦ６ガスなどの絶縁性ガス中に配設されている。この実施形態１の固定電極２ａは導電性の板を放射状に組み合わせて構成され、固定導体３に固定されている。固定電極２ａは、円筒内部に設けられた接触部において、可動電極１ａと接触する構造となっている。接触抵抗を安定させ、電流通電時の電磁反発に対抗するため、固定電極２ａの外周部からリング状に成形されたコイルバネ６などによって押さえられているか、固定電極２ａ自身がバネ性を有した導電性材料で構成されている。
【００１４】
固定電極２ａの外周には、固定電極２と同軸となるよう配設されたリング状の永久磁石４ａが固定導体３に取り付けられている。またリング状の永久磁石４ａを覆うような形状を有したシールド５が固定導体３に取り付けられている。このシールド５は電界緩和を目的としたものである。
【００１５】
上記した開閉器は、更に、リングの永久磁石４ａよりも大きな内径と小さな外径を有したリング状の磁性体１１が、固定電極２ａと同軸上で、リング状永久磁石４ａの可動電極１ａと面する平面上に配設されている。このリングの磁性体１１は、透磁率の大きな材質、例えば鉄や鉄を主成分とする合金が用いられ、２〜５ｍｍ程度の高さを有している。
磁性体１１の高さが永久磁石４ａの直径もしくは内外径に対して大きい場合は、略半径方向への磁界が強まらず、軸方向の磁界が大きくなるため、高さは低くしている。
【００１６】
上記構成において、開閉器が開極されると、可動電極１ａが、固定電極２ａから乖離し、電極間にアークＡが発生する。アークＡ内には電流が流れているため、ほぼ軸方向、すなわち図面の左右方向に対して電流が流れる。
また、永久磁石４ａからは同図中破線のような磁界Ｂが発生し、アークＡと鎖交する。このとき、アークＡと直行する、すなわち略半径方向の磁界とアーク内の電流の外積で得られる電磁力が電極の円周方向、すなわち図面の奥行方向に発生するため、アークＡは可動電極１ａおよび固定電極２ａ上を円周方向に駆動し、アークＡを遮断する。
【００１７】
ここで、永久磁石４ａよりも大きな内径と小さな外径を有したリング状の磁性体１１を、リング状永久磁石４ａの可動電極１ａと面する平面上に、永久磁石４ａと同軸となるよう配設すると、磁性体１１によって、永久磁石４ａから発生する磁界が変歪され、固定電極２ａ上における略半径方向の磁界が強められる。このため、アークＡを円周方向に駆動させる電磁力を寄り大きく得ることが出来、電極間に発生するアークＡがより早く回転する。これによって、固定電極２ａのアークＡによる温度上昇が抑制できるため、電極からの金属蒸気発生が抑制され、最終的にアークＡが消弧されやすくなる。
【００１８】
実施の形態２．
次に、この発明の実施の形態２に係る開閉器を図２に基づいて説明する。図２はこの発明の実施の形態２による開閉器の電極部を示す断面図である。
図２に示す開閉器において、図示しない開閉駆動部の駆動によって軸方向に可動される可動電極１ｂは円筒状に形成され、この可動電極１ｂの外周にはバネ性を持った導電性コイル７が配設されている。この可動電極１ｂと同軸上に軸方向に沿って配設された円筒状の固定電極２ｂは、可動電極１ｂの導電性コイル７と接触する箇所の内周と中空部を有し、固定導体３に固定されている。可動電極１ｂと固定電極２ｂは、乾燥空気、ＳＦ６ガスなどの絶縁性ガス中に配設されている。
【００１９】
この実施形態２の開閉器における導電性コイル７は、可動電極１ｂが固定電極２ｂへ挿入されている閉路時には常に電流を流して電極間の接触抵抗を下げ、通電断面積を確保することで大電流通電を可能にするものである。
固定電極２ｂの中空部の内部には、固定電極２ｂと同軸となるよう配設されたリング状の永久磁石４ａが配置され、固定導体３に固定されている。
【００２０】
上記した開閉器は、更に、リングの永久磁石４ａよりも大きな内径と小さな外径を有したリング状の磁性体１１が、固定電極２ｂと同軸上で、リング状の永久磁石４ａの可動電極１ｂと面する平面上に配設されている。このリングの磁性体１１は、透磁率の大きな材質、例えば鉄や鉄を主成分とする合金が用いられ、２〜５ｍｍ程度の厚さを有している。
【００２１】
上記構成において、開閉器が開極されると、可動電極１ｂが固定電極２ｂから乖離して、電極間にアークＡが発生し、永久磁石４ａからは磁界Ｂが発生してアークＡと鎖交することは実施の形態１と同じである。
ここで、リング状永久磁石４ａよりも大きな内径と小さな外径を有したリング状の磁性体１１を、リング状永久磁石４ａの可動電極１ｂと面する平面上に、永久磁石４ａと同軸となるよう配設すると、磁性体１１によって、永久磁石４ａから発生する磁界が変歪され、固定電極２ｂ上における略半径方向の磁界が強められる。このため、アークＡを円周方向に駆動させる電磁力を寄り大きく得ることが出来、電極間に発生するアークＡがより早く回転する。これによって、固定電極２ｂのアークＡによる温度上昇が抑制できるため、電極からの金属蒸気発生が抑制され、最終的にアークＡが消弧されやすくなる。
【００２２】
実施の形態３．
次に、この発明の実施の形態３に係る開閉器を図３に基づいて説明する。図３はこの発明の実施の形態３による開閉器の電極部を示す断面図である。
図３に示す開閉器は、図２に示す実施の形態２の開閉器において、固定電極２ｂの内側にアークホーン８ａを設けたもので、その他の構成は図２と同じにつき説明を省略する。
アークホーン８ａは、開閉器の閉極時には、可動電極１ｂの固定電極２ｂへの挿入にともなって図面右側方向に移動し、開極時には、可動電極１ｂの動作にともなって可動電極１ｂに密着したまま図面左側へ移動し、固定電極２ｂよりも後に可動電極１ｂと乖離する電極である。この場合、アークホーン８ａと可動電極１ｂの間にもアークが発生するが、上記実施の形態２と同様の動作を行い、同じ効果が得られる。
【００２３】
実施の形態４．
次に、この発明の実施の形態４に係る開閉器を図４に基づいて説明する。図４はこの発明の実施の形態４による開閉器の電極部を示す断面図である。
図４に示す開閉器は、図示しない開閉駆動部の駆動によって軸方向に可動される円柱状の可動電極１ｃと、この可動電極１ｃと同軸上に軸方向に沿って配設され、可動電極１ｃと接触する箇所を有した円筒状の固定電極２ａとを有し、これら可動電極１ｃと固定電極２ａは乾燥空気、ＳＦ６ガスなどの絶縁性ガス中に配設されている。この実施形態４の固定電極２ａは、実施の形態１と同じように導電性の板を円筒状に組み合わせて構成され、固定導体３に固定されている。
【００２４】
また固定電極２ａの外周側にはシールド５が固定導体３に取り付けられている。このシールド５は電界緩和を目的としたものである。固定電極２ａは、円筒内部に設けられた接触部において、可動電極１ｃと接触する構造となっており、接触抵抗を安定させ、電流通電時の電磁反発に対抗するため、固定電極２ａの外周部からリング状に成形されたコイルバネ６などによって押さえられているか、固定電極２ａ自身がバネ性を有した導電性材料で構成されている。
【００２５】
可動電極１ｃの固定電極２ａと面する先端近傍は中空にされ、この可動電極１ｃの中空の内部には、円柱状の永久磁石４ｂが配設されている。この円柱状の永久磁石４ｂは軸方向、すなわち図の左右方向に着磁されている。
さらに、円柱状の永久磁石４ｂの固定電極２ａと面する平面上には、円柱状の永久磁石４ｂよりも小さな直径を有した円柱状の磁性体１２が、永久磁石４ｂと同軸上に配設されている。この円柱状の磁性体１２は、透磁率の大きな材質、例えば鉄や鉄を主成分とする合金が用いられ、その高さは２〜５ｍｍ程度としている。
【００２６】
上記構成において、開閉器が開極されると、可動電極１ｃが、固定電極２ａから乖離し、電極間にアークＡが発生する。アークＡ内には電流が流れているため、ほぼ軸方向、すなわち図面の左右方向に対して電流が流れる。
また、永久磁石４ｂからは同図中破線のような磁界Ｂが発生し、アークＡと鎖交する。このとき、アークＡと直行する、すなわち略半径方向の磁界とアーク内の電流の外積で得られる電磁力が電極の円周方向、すなわち図面の奥行方向に発生するため、アークＡは可動電極１ｃおよび固定電極２ａ上を円周方向に駆動し、アークＡを遮断する。
【００２７】
ここで、アークＡが、可動電極１ｃの固定電極２ａと対向する面の中心付近に点弧した場合、永久磁石４ｂから略半径方向に発生する磁界は小さくなる。このため電極の一定箇所にアークＡが点弧したまま動かないため、可動電極１ｃの接点温度が上昇し、接点材料が蒸発しやすくなり、アークＡが消弧されにくくなる。
そこで、永久磁石４ｂよりも小さな直径で、高さ２〜５ｍｍ程度の円柱状の磁性体１２を、永久磁石４ｂの固定電極２ａと対向する面上に、永久磁石４ｂと同軸上に配設させることで、永久磁石４ｂの中心付近の磁界を略半径方向に変歪させることが出来る。すると、固定電極２ａと面する可動電極１ｃの表面のうち、特に外周近傍の略半径方向の磁界を強めるので、可動電極１ｃの中心付近にアークＡが点弧した場合でも、アークＡが略半径方向の強い磁界を受けてアークを早く回転駆動し、接点温度の上昇が抑制できる。
【００２８】
実施の形態５．
次に、この発明の実施の形態５に係る開閉器を図５に基づいて説明する。図５はこの発明の実施の形態５による開閉器の電極部を示す断面図である。
図５に示す開閉器は、実施の形態４における可動電極を単なる円柱状の可動電極１ａとし、さらに円柱状の永久磁石４ｂは、固定電極２ａの円筒内部に設けられた円筒状のアークホーン８ｂ内に設けている。また円柱状の永久磁石４ｂよりも小さな直径を有した円柱状の磁性体１２は、円柱状の永久磁石４ｂの可動電極１ａと面する平面上に、永久磁石４ｂと同軸上に配設されている。この円柱状の磁性体１２は、透磁率の大きな材質、例えば鉄や鉄を主成分とする合金が用いられ、その高さは２〜５ｍｍ程度としている。
【００２９】
アークホーン８ｂは、開閉器の閉極時には、可動電極１ｃの固定電極２ａへの挿入にともなって図面右側方向に移動し、開極時には、可動電極１ｃの動作にともなって可動電極１ｃに密着したまま図面左側へ移動し、固定電極２ａよりも後に可動電極１ｃと乖離する電極である。この場合、アークホーン８ｂと可動電極１ｃの間にもアークが発生するが、上記実施の形態４と同様の動作を行い、同じ効果が得られる。
【００３０】
実施の形態６．
次に、この発明の実施の形態６に係る開閉器を図６に基づいて説明する。図６はこの発明の実施の形態６による開閉器の電極部を示す断面図である。
図６に示す開閉器は、実施の形態４における開閉器と実施の形態５における開閉器を組み合わせたようなものである。
即ち、可動電極１ｃ側は、実施の形態４と同様に、可動電極１ｃの固定電極２ａと面する先端近傍の中空内部に、円柱状の永久磁石４ｂと、円柱状の永久磁石４ｂよりも小さな直径の円柱状の磁性体１２が配設されている。  また、固定電極２ａ側は、実施の形態５と同様に、固定電極２ａの円筒内部に設けられた円筒状のアークホーン８ｂ内に円柱状の永久磁石４ｂを設け、円柱状の永久磁石４ｂよりも小さな直径の円柱状の磁性体１２は、円柱状の永久磁石４ｂの可動電極１ｃと面する平面上に、永久磁石４ｂと同軸上に配設されている。
【００３１】
このように可動電極１ｃの内部とアークホーン８ｂの内部の両方に永久磁石４ｂを用い、それぞれの永久磁石４ｂの各電極と面する平面上に円柱状の磁性体１２をそれぞれ配設した場合においても、実施の形態４および５と同様な動作と効果を得ることが出来る。
【００３２】
実施の形態７．
次に、この発明の実施の形態７に係る開閉器を図７に基づいて説明する。図７はこの発明の実施の形態７による開閉器の電極部を示す断面図である。
図７に示す開閉器は、外周に配設されたバネ性の導電性コイル７によって通電する機能を有する円筒状の可動電極１ｂと、可動電極１ｂと同軸上に軸方向に沿って配設され、導電性コイル７と接触する箇所を有した円筒状の固定電極２ｂと、固定電極２ｂの内側に固定電極２ｂと同軸となるよう配設された円筒状の保持部材９と、固定電極２ｂと保持部材９を固定する固定導体３と、保持部材９の内部に配設された円柱状の永久磁石４ｂとを有している。可動電極１ｂと固定電極２ｂは乾燥空気、ＳＦ６ガスなどの絶縁性ガス中に配設されている。
【００３３】
さらに、円柱状の永久磁石４ｂよりも小さな直径で、高さが２〜５ｍｍ程度の円柱状の磁性体１２が、固定電極２ｂおよび永久磁石４ｂと同軸上で、円柱状の永久磁石４ｂの可動電極１ｂと面する平面上に配設されている。
上記構成において、開閉器が開極されると、可動電極１ｂが、固定電極２ｂから乖離し、電極間にアークが発生する。また、永久磁石４ｂからは磁界が発生し、アークと鎖交する。略半径方向の磁界とアーク内の電流の外積で得られる電磁力が電極の円周方向、すなわち図面の奥行方向に発生するため、アークは可動電極１ｂおよび固定電極２ｂ上を円周方向に駆動する。このとき、磁性体１２によって、永久磁石４ｂから発生する磁界が変歪され、固定電極２ｂ上における略半径方向の磁界が強められる。このため、アークを円周方向に駆動させる電磁力を寄り大きく得ることが出来、電極間に発生するアークがより早く回転して消弧性能が向上する。
【００３４】
実施の形態８．
次に、この発明の実施の形態８に係る開閉器を図８に基づいて説明する。図８はこの発明の実施の形態８による開閉器の電極部を示す断面図である。
図８に示す開閉器は、図７に示す実施の形態７の開閉器において、固定電極２ｂの内側にアークホーン８ａを設けたもので、その他の構成は図７と同じにつき説明を省略する。
この場合、保持部材９は、図の右側で固定導体３に固定されていても、アークホーン８ａに固定されていても良い。
【００３５】
アークホーン８ａは、開閉器の閉極時には、可動電極１ｂの固定電極２ｂへの挿入にともなって図面右側方向に移動し、開極時には、可動電極１ｂの動作にともなって可動電極１ｂに密着したまま図面左側へ移動し、固定電極２ｂよりも後に可動電極１ｂと乖離する電極である。この場合、アークホーン８ａと可動電極１ｂの間にもアークが発生するが、上記実施の形態７と同様の動作を行い、同じ効果が得られる。
【符号の説明】
【００３６】
１ａ、１ｂ、１ｃ：可動電極、          ２ａ、２ｂ：固定電極、
３：固定導体                          ４ａ、４ｂ：永久磁石、
５：シールド                          ６：コイルバネ
７：導電性コイル、                    ８ａ、８ｂ：アークホーン、
９：保護部材、                      １１：磁性体、
１２：磁性体。
【図１】
2010251056.tif 000003
【図２】
2010251056.tif 000004
【図３】
2010251056.tif 000005
【図４】
2010251056.tif 000006
【図５】
2010251056.tif 000007
【図６】
2010251056.tif 000008
【図７】
2010251056.tif 000009
【図８】
2010251056.tif 000010